(57)【要約】【課題】再生速度に応じて適切な字幕を表示することができる情報記録再生装置を提供する。【解決手段】情報記録再生装置１は、字幕テーブル１５１Ａを有する動画データ１５１を格納する記憶部１５と、字幕テーブル１５１Ａに基づいて要約字幕テーブル１５３を生成する要約生成部１５０Ａと、動画データ１５１を選択された再生速度で再生する制御プログラム１５０と、制御プログラム１５０の再生速度に基づいて要約字幕テーブル１５３を表示処理する字幕表示処理部１５０Ｂとを有する。【選択図】図１
2010081149.tif 000002
【特許請求の範囲】
【請求項１】
複数の字幕要素情報を有する要約字幕情報を含む動画情報を選択された再生速度で再生する再生部と、
前記再生部の前記再生速度に基づいて前記要約字幕情報から字幕要素情報を抽出して表示処理する字幕表示処理部とを有することを特徴とする情報記録再生装置。
【請求項２】
動画情報に含まれる字幕情報に基づいて複数の字幕要素情報を有する要約字幕情報を生成する要約生成部と、
前記動画情報を選択された再生速度で再生する再生部と、
前記再生部の前記再生速度に基づいて前記要約字幕情報から字幕要素情報を抽出して表示処理する字幕表示処理部とを有することを特徴とする情報記録再生装置。
【請求項３】
前記要約生成部は、要約度が定められた複数の字幕要素情報を生成し、
前記字幕表示処理部は、前記再生速度に基づいて前記要約度を決定し、前記複数の字幕要素情報から前記決定された要約度の前記字幕要素情報を抽出することを特徴とする請求項１又は２に記載の情報記録再生装置。
【請求項４】
前記要約字幕情報を音声によって読み上げる字幕読上部をさらに有することを特徴とする請求項１又は２に記載の情報記録再生装置。
【請求項５】
選択された要約度に基づいて要約字幕情報から字幕要素情報抽出して表示処理する字幕表示処理部と、
前記選択された要約度に基づいて再生速度を決定し、前記要約字幕情報を含む動画情報を前記決定された再生速度で再生する再生部とを有することを特徴とする情報記録再生装置。
【請求項６】
前記要約生成部は、要約度が定められた複数の字幕要素情報を生成し、
前記字幕表示処理部は、前記選択された要約度に基づいて前記再生速度を決定し、前記複数の字幕要素情報から前記決定された要約度の前記字幕要素情報を抽出することを特徴とする請求項５に記載の情報記録再生装置。
【請求項７】
前記要約字幕情報を音声によって読み上げる字幕読上部をさらに有することを特徴とする請求項５に記載の情報記録再生装置。
【発明の詳細な説明】
【技術分野】
【０００１】
本発明は、情報記録再生装置に関する。
【背景技術】
【０００２】
従来、動画データに含まれる字幕データを利用者が所望する要約度に変換する情報記録再生装置が知られている（例えば、特許文献１参照）。
【０００３】
この情報記録再生装置は、字幕データを含む動画データを放送波から受信する受信部と、動画データを再生して映像とともに字幕を表示する再生部と、利用者が所望する要約度に字幕を変換するよう指示する指示部と、指示部から指示された要約度に基づいて字幕の内容を要約する変換部とを有するため、映像とともに所望の要約度に変換された字幕データを用いて要約された字幕を表示することができる。
【特許文献１】特開２００５−１３６４４７号公報
【発明の開示】
【発明が解決しようとする課題】
【０００４】
しかし、従来の情報記録再生装置によると、利用者は、複数の要約度から所望の要約度の字幕を選択することができるが、再生速度等の動画データの再生速度を変化させる場合、再生速度に適切な要約度を利用者が判断し、手動で選択する必要があり、要約された字幕を表示するための操作手順が煩雑であるという問題がある。
【０００５】
従って、本発明の目的は、再生速度に応じて適切な字幕を表示することができる情報記録再生装置を提供することにある。
【課題を解決するための手段】
【０００６】
（１）本発明は上記目的を達成するため、複数の字幕要素情報を有する要約字幕情報を含む動画情報を選択された再生速度で再生する再生部と、前記再生部の前記再生速度に基づいて前記要約字幕情報から字幕要素情報を抽出して表示処理する字幕表示処理部とを有することを特徴とする情報記録再生装置を提供する。
【０００７】
上記構成によれば、選択された再生速度に応じて要約字幕情報を抽出するため、例えば、再生速度が速い場合には優先順位が高い（優先順位の数値が小さい）字幕情報のみを表示し、再生速度が遅い場合には優先順位が低い（優先順位の数値が大きい）字幕情報を含めて多くの字幕情報を表示するというように、再生速度に応じて適切な字幕を表示することができる。
【０００８】
（２）また、本発明は上記目的を達成するため、動画情報に含まれる字幕情報に基づいて複数の字幕要素情報を有する要約字幕情報を生成する要約生成部と、前記動画情報を選択された再生速度で再生する再生部と、前記再生部の前記再生速度に基づいて前記要約字幕情報から字幕要素情報を抽出して表示処理する字幕表示処理部とを有することを特徴とする情報記録再生装置を提供する。
【０００９】
上記構成によれば、（１）と同様の効果を得られるとともに、要約字幕情報を生成することができる。
【００１０】
（３）また、本発明は上記目的を達成するため、選択された要約度に基づいて要約字幕情報から字幕要素情報抽出して表示処理する字幕表示処理部と、前記選択された要約度に基づいて再生速度を決定し、前記要約字幕情報を含む動画情報を前記決定された再生速度で再生する再生部とを有することを特徴とする情報記録再生装置を提供する。
【００１１】
上記構成によれば、選択された要約度に応じて再生速度を決定するため、例えば、要約度が高い場合には、優先順位が高い字幕情報のみを表示し、速い再生速度で動画再生し、要約度が低い場合には、優先順位の低い字幕情報を含めて多くの字幕情報を表示し、遅い再生速度で動画再生するというように、再生速度に応じて適切な字幕を表示することができる。
【発明の効果】
【００１２】
本発明によれば、再生速度に応じて適切な字幕を表示することができる。
【発明を実施するための最良の形態】
【００１３】
以下に、本発明の情報記録再生装置の実施の形態を、図面を参照して詳細に説明する。
【００１４】
［第１の実施の形態］
（情報記録再生装置の構成）
図１は、本発明の第１の実施の形態に係る情報記録再生装置の構成例を示すブロック図である。
【００１５】
この情報記録再生装置１は、アンテナ１０Ａを介して放送波からトランスポートストリームを受信して選局したチャンネルのコンテンツデータを出力するチューナ１０と、ＬＣＤ（Ｌｉｑｕｉｄ  Ｃｒｙｓｔａｌ  Ｄｉｓｐｌａｙ）等の表示部１１と、音声信号を出力処理してスピーカ等から音声を出力する音声出力部１２と、キーボード及びタッチパッドを有し操作内容に応じて操作信号を出力する操作部１３と、ＣＰＵ（Ｃｅｎｔｒａｌ  Ｐｒｏｃｃｅｓｓｉｎｇ  Ｕｎｉｔ）等であって各部を制御する制御部１４と、ＳＳＤ（Ｓｏｌｉｄ  Ｓｔａｔｅ  Ｄｒｉｖｅ）やＨＤＤ（Ｈａｒｄ  Ｄｉｓｋ  Ｄｒｉｖｅ）等であって情報を格納する記憶部１５とを有する。
【００１６】
記憶部１５は、チューナ１０から受信したコンテンツデータを再生部としてデコードして表示部１１の表示画面上に映像を表示処理したり、受信したコンテンツデータを動画データとして記憶部１５に録画処理する制御プログラム１５０と、ＭＰＥＧ２等の規格に基づいて作成されるとともに字幕を表示するための字幕テーブル１５１Ａ（字幕情報）を有する動画データ１５１（動画情報）と、字幕の読み上げ再生の際に用いる音声データ１５２と、字幕テーブル１５１Ａの内容を要約して生成される要約字幕テーブル１５３（要約字幕情報）と、動画データ１５１に対して要約字幕テーブル１５３を関連づける動画テーブル１５４とを有する。
【００１７】
また、制御プログラム１５０は、制御部１４において実行され、字幕テーブル１５１Ａに基づいて要約字幕テーブル１５３を生成する要約生成部１５０Ａと、字幕テーブル１５１Ａ又は要約字幕テーブル１５３に基づいて表示部１１の表示画面上に字幕を表示処理する字幕表示処理部１５０Ｂと、字幕テーブル１５１Ａ又は要約字幕テーブル１５３に基づいて字幕を読み上げた音声を生成して音声出力部１２から出力する字幕読上部１５０Ｃとを有する。
【００１８】
図２は、本発明の第１の実施の形態に係る字幕テーブルの内容例を示す概略図である。
【００１９】
字幕テーブル１５１Ａは、動画データ１５１に含まれる情報であり、任意の記号・数字等で示される管理番号と、サブ番号と、字幕の表示が開始される動画データ１５１における再生開始時からの再生時刻を示す表示開始時刻と、字幕の内容を示す字幕要素データ（字幕要素情報）とを有する。
【００２０】
図３は、本発明の第１の実施の形態に係る要約字幕テーブルの内容例を示す概略図である。
【００２１】
要約字幕テーブル１５３ａは、字幕テーブル１５１Ａに基づいて要約生成部１５０Ａによって生成される情報であり、任意の記号・数字等で示される管理番号と、サブ番号と、字幕の表示が開始される動画データ１５１における再生開始時からの再生時刻を示す表示開始時刻と、字幕として表示する優先度を示す優先度と、字幕の内容を示す字幕要素データとを有する。
【００２２】
図４は、本発明の第１の実施の形態に係る要約字幕テーブルの他の内容例を示す概略図である。
【００２３】
要約字幕テーブル１５３ｂは、要約字幕テーブル１５３ａの他の形態であり、要約字幕テーブル１５３ａ同様に、管理番号と、サブ番号と、表示開始時刻と、字幕要素データとを有するが、要約字幕テーブル１５３ｂにおける優先順位は、要約字幕テーブル１５３ａの優先度以下を全て含むようになっている。例えば、要約字幕テーブル１５３ｂの優先順位「３」は、要約字幕テーブル１５３ａの優先度「１」、「２」及び「３」を含み、同様に要約字幕テーブル１５３ｂの優先順位「２」は、要約字幕テーブル１５３ａの優先度「１」及び「２」を含む。
【００２４】
図５は、本発明の第１の実施の形態に係る動画テーブルの内容例を示す概略図である。
【００２５】
動画テーブル１５４は、動画データ１５１と字幕テーブル１５１Ａ又は要約字幕テーブル１５３とを関連づける情報であり、任意の記号・数字等で示される管理番号と、動画データ１５１に含まれる番組の放送された時間帯を示す時間と、番組の放送されたチャンネルを示すチャンネルと、番組の番組名を示す番組名と、番組の動画データ名を示す番組ファイルと、要約字幕テーブル１５３ａ又は１５３ｂの管理番号に対応した要約字幕番号とを有する。なお、要約字幕番号「０」は、対応する要約字幕テーブルが存在しないか、要約字幕テーブルが対応づけられないことを示す。
【００２６】
図６は、本発明の第１の実施の形態に係る情報記録再生装置の表示例を示す概略図である。
【００２７】
倍速再生設定表示１１０Ａは、制御プログラム１５０によって表示部１１の表示画面上に表示されるＧＵＩ（Ｇｒａｐｈｉｃ  Ｕｓｅｒ  Ｉｎｔｅｒｆａｃｅ）であり、制御プログラム１５０が再生する動画データ１５１の再生速度を選択するための再生速度選択部１１０ａと、再生する動画データ１５１の字幕テーブル１５１Ａを要約字幕テーブル１５３に置き換えて再生するか否かを選択するための要約表示選択部１１０ｂとを有する。なお、要約表示選択部１１０ｂがチェックされた場合、再生速度選択部１１０ａにおいて選択された再生速度に応じて制御プログラム１５０によって優先順位が決定され、動画テーブル１５４の要約字幕番号として設定される。
【００２８】
図７は、本発明の第１の実施の形態に係る情報記録再生装置の字幕の表示例を示す概略図である。
【００２９】
倍速映像１１０Ｂは、例えば、倍速再生設定表示１１０Ａの再生速度選択部１１０ａにおいて「４」倍速を選択した場合に動画データ１５１が再生されることで表示部１１の表示画面上に表示される映像であり、映像中に要約字幕テーブル１５３を表示処理することで表示された字幕表示１１０ｃを有する。なお、図７において、表示される字幕表示１１０ｃは、要約字幕テーブル１５３ｂの管理番号「１」で優先順位「２」の字幕要素データが表示される。
【００３０】
図８は、本発明の第１の実施の形態に係る情報記録再生装置の字幕の他の表示例を示す概略図である。
【００３１】
倍速映像１１０Ｂは、例えば、倍速再生設定表示１１０Ａの再生速度選択部１１０ａにおいて「１０」倍速を選択した場合に動画データ１５１が再生されることで表示部１１の表示画面上に表示される映像であり、映像中に要約字幕テーブル１５３を表示処理することで表示された字幕表示１１０ｃを有する。なお、図８において、表示される字幕表示１１０ｃは、要約字幕テーブル１５３ｂの管理番号「１」で優先順位「１」の字幕要素データが表示される。
【００３２】
（動作）
以下に、本発明の第１の実施の形態における情報記録再生装置の動作を各図を参照しつつ説明する。
【００３３】
まず、制御プログラム１５０は、起動後にチューナ１０等を初期化処理し、メニュー画面を表示部１１の表示画面上に表示する（図示せず）。メニュー画面において、利用者が操作部１３を介してある映像の再生操作を行うと、制御プログラム１５０は、動画テーブル１５４を参照し、該当する動画データ１５１を取得して再生処理する。
【００３４】
また、メニュー画面において、利用者がある番組の録画操作を行うと、制御プログラム１５０は、該当する番組を録画するよう録画処理する。録画処理において、制御プログラム１５０は、チューナ１０を介して該当する番組を受信し、受信した番組を解析して番組の動画データが字幕を含むか否かを判別する。
【００３５】
番組の動画データが字幕を含む場合は、要約字幕テーブル１５３の管理番号を参照し、最も大きい番号に１を加算した値を管理番号として生成し設定する。次に、サブ番号を「１」から昇順に後述する抽出文字列数だけ格納する。
【００３６】
次に、番組の動画データに含まれる字幕の文字データを一文単位で形態素解析し、単語に分割する。次に、構文解析し、品詞を判別し、主語を重要文字単語文字列として抽出し、優先度「１」として字幕要素データとともに格納する。ここで、サブ番号を「１」とする。
【００３７】
次に、文字データから述語を重要文字単語文字列として抽出し、優先度「１」として字幕要素データとともに格納する。ここで、例えば、サブ番号を「４」とする。
【００３８】
主語の表示開始時刻を元の文字データの最初の表示開始時刻とし、述語の表示開始時刻を、例えば、元の文字データの最後の表示開始時刻とする。
【００３９】
次に、主語と述語の次に重要度の高い文字列を抽出し、優先度「２」として字幕要素データとともに格納する。ここで、例えば、サブ番号を「２」とする。
【００４０】
次に、優先度２の文字列の次に重要度の高い文字列を抽出し、優先度「３」として字幕要素データとともに格納する。ここで、例えば、サブ番号を「３」とする。
【００４１】
次に、最初の表示開始時刻と最後の表示開始時刻との差を「抽出文字列数−１」で除算して字幕要素データの表示間隔を算出する。サブ番号「２」の表示開始時刻を最初の表示開始時刻に表示間隔を加算した値とし、サブ番号「３」の表示開始時刻をサブ番号「２」の表示開始時刻に表示間隔を加算した値とする。
【００４２】
図９は、本発明の第１の実施の形態に係る情報記録再生装置の動作例を示すフローチャートである。
【００４３】
まず、制御プログラム１５０は、動画データ１５１を再生するとき、倍速再生設定表示１１０Ａの再生速度選択部１１０ａにおいて選択された再生速度を取得する（Ｓ１）。
【００４４】
再生速度が１倍速以下である場合（Ｓ２；Ｙｅｓ）、字幕表示処理部１５０Ｂは、通常の字幕を表示するため字幕テーブル１５１Ａに基づいて字幕を表示する（Ｓ３）。
【００４５】
再生速度が１倍速より大きく２倍速以下である場合（Ｓ４；Ｙｅｓ）、字幕表示処理部１５０Ｂは、優先度「１」、「２」及び「３」の字幕、つまり優先順位「３」の字幕を表示するため要約字幕テーブル１５３ａ又は１５３ｂに基づいて字幕を表示する（Ｓ５）。
【００４６】
再生速度が２倍速より大きく８倍速以下である場合（Ｓ６；Ｙｅｓ）、字幕表示処理部１５０Ｂは、優先度「１」及び「２」の字幕、つまり優先順位「２」の字幕を表示するため要約字幕テーブル１５３ａ又は１５３ｂに基づいて字幕を表示する（Ｓ７）。
【００４７】
再生速度が８倍速より大きい場合（Ｓ６；Ｎｏ）、字幕表示処理部１５０Ｂは、優先度「１」の字幕、つまり優先順位「１」の字幕を表示するため要約字幕テーブル１５３ａ又は１５３ｂに基づいて字幕を表示する（Ｓ８）。
【００４８】
なお、ステップＳ３、Ｓ５、Ｓ７及びＳ８において決定した優先順位は、動画テーブル１５４の要約字幕番号に設定される。
【００４９】
なお、図９において、再生速度に対して決定される優先度及び優先順位は、一例であり限定されるものではない。
【００５０】
（第１の実施の形態の効果）
上記した第１の実施の形態によると、再生速度選択部１１０ａにおいて選択された再生速度に応じて字幕テーブル１５１Ａ又は要約字幕テーブル１５３から字幕テーブルを選択するとともに、表示する字幕の優先度及び優先順位を選択するため、再生速度が速い場合には優先順位が高い字幕情報のみを表示し、再生速度が遅い場合には優先順位が低い字幕情報を含めて多くの字幕情報を表示するというように、再生速度に応じて適切な字幕を表示することができる。
【００５１】
なお、要約字幕テーブル１５３は、録画時に生成したが、録画後及び再生時に生成してもよい。
【００５２】
［第２の実施の形態］
図１０は、本発明の第２の実施の形態に係る情報記録再生装置の表示例を示す概略図である。なお、以下の説明において、第１の実施の形態と同一の構成、及び機能を有する部分については共通の符号を付している。
【００５３】
字幕要約度設定表示１１０Ｃは、制御プログラム１５０によって表示部１１の表示画面上に表示されるＧＵＩ（Ｇｒａｐｈｉｃ  Ｕｓｅｒ  Ｉｎｔｅｒｆａｃｅ）であり、制御プログラム１５０が再生する動画データ１５１の字幕の要約度を選択するための要約度選択部１１０ｄと、表示する字幕を音声によって読み上げるか否かを選択するための音声読上選択部１１０ｅとを有する。なお、要約度選択部１１０ｄにおいて選択された要約度は、動画テーブル１５４の対応する要約字幕番号として設定される。
【００５４】
（動作）
図１１は、本発明の第２の実施の形態に係る情報記録再生装置の動作例を示すフローチャートである。
【００５５】
まず、制御プログラム１５０は、動画データ１５１を再生するとき、字幕要約度設定表示１１０Ｃの要約度選択部１１０ｄにおいて選択された要約度を取得する（Ｓ１０）。
【００５６】
要約度の指定がない場合（Ｓ１１；Ｙｅｓ）、字幕表示処理部１５０Ｂは、通常の字幕を表示するため字幕テーブル１５１Ａに基づいて字幕を表示する（Ｓ１２）。
【００５７】
要約度が「低」である場合（Ｓ１３；Ｙｅｓ）、字幕表示処理部１５０Ｂは、優先度「１」、「２」及び「３」の字幕、つまり優先順位「３」の字幕を表示するため要約字幕テーブル１５３ａ又は１５３ｂに基づいて字幕を表示する（Ｓ１４）。
【００５８】
要約度が「中」である場合（Ｓ１５；Ｙｅｓ）、字幕表示処理部１５０Ｂは、優先度「１」及び「２」の字幕、つまり優先順位「２」の字幕を表示するため要約字幕テーブル１５３ａ又は１５３ｂに基づいて字幕を表示する（Ｓ１６）。
【００５９】
要約度が「高」である場合（Ｓ１５；Ｎｏ）、字幕表示処理部１５０Ｂは、優先度「１」の字幕、つまり優先順位「１」の字幕を表示するため要約字幕テーブル１５３ａ又は１５３ｂに基づいて字幕を表示する（Ｓ１７）。
【００６０】
なお、ステップＳ１２、Ｓ１４、Ｓ１６及びＳ１７において決定した優先順位は、動画テーブル１５４の要約字幕番号に設定される。
【００６１】
なお、図１１において、要約度に対して決定される優先度及び優先順位は、一例であり限定されるものではない。
【００６２】
（第２の実施の形態の効果）
上記した第２の実施の形態によると、要約度選択部１１０ｄにおいて選択された要約度に応じて字幕テーブル１５１Ａ又は要約字幕テーブル１５３から字幕テーブルを選択するとともに、表示する字幕の優先度及び優先順位を選択するため、要約度が高い場合には優先順位が高い字幕情報のみを表示し、速い再生速度で動画再生し、要約度が低い場合には優先順位が低い字幕情報を含めて多くの字幕情報を表示し、遅い再生速度で動画再生するというように、再生速度に応じて適切な字幕を表示することができる。
【００６３】
なお、要約度が高い場合には再生速度を速く、優先度が低い場合には再生速度を遅くするというように、要約度に応じて再生速度を変化させてもよい。
【００６４】
また、実施の形態において、制御プログラム１５０、要約生成部１５０Ａ、字幕表示処理部１５０Ｂ及び字幕読上部１５０Ｃは、ソフトウェアによる構成を示したが、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等を用いたハードウェアで構成してもよい。
【図面の簡単な説明】
【００６５】
【図１】本発明の第１の実施の形態に係る情報記録再生装置の構成例を示すブロック図である。
【図２】本発明の第１の実施の形態に係る字幕テーブルの内容例を示す概略図である。
【図３】本発明の第１の実施の形態に係る要約字幕テーブルの内容例を示す概略図である。
【図４】本発明の第１の実施の形態に係る要約字幕テーブルの他の内容例を示す概略図である。
【図５】本発明の第１の実施の形態に係る動画テーブルの内容例を示す概略図である。
【図６】本発明の第１の実施の形態に係る情報記録再生装置の表示例を示す概略図である。
【図７】（ａ）〜（ｃ）は、本発明の第１の実施の形態に係る情報記録再生装置の字幕の表示例を示す概略図である。
【図８】（ａ）、（ｂ）は、本発明の第１の実施の形態に係る情報記録再生装置の字幕の他の表示例を示す概略図である。
【図９】本発明の第１の実施の形態に係る情報記録再生装置の動作例を示すフローチャートである。
【図１０】本発明の第２の実施の形態に係る情報記録再生装置の表示例を示す概略図である。
【図１１】本発明の第２の実施の形態に係る情報記録再生装置の動作例を示すフローチャートである。
【符号の説明】
【００６６】
１…情報記録再生装置、１０…チューナ、１０Ａ…アンテナ、１１…表示部、１２…音声出力部、１３…操作部、１４…制御部、１５…記憶部、１１０Ａ…倍速再生設定表示、１１０Ｂ…倍速映像、１１０Ｃ…字幕要約度設定表示、１１０ａ…再生速度選択部、１１０ｂ…要約表示選択部、１１０ｃ…字幕表示、１１０ｄ…要約度選択部、１１０ｅ…音声読上選択部、１５０…制御プログラム、１５０Ａ…要約生成部、１５０Ｂ…字幕表示処理部、１５０Ｃ…字幕読上部、１５１…動画データ、１５１Ａ…字幕テーブル、１５２…音声データ、１５３…要約字幕テーブル、１５３ａ…要約字幕テーブル、１５３ｂ…要約字幕テーブル、１５４…動画テーブル
【図１】
2010081149.tif 000003
【図２】
2010081149.tif 000004
【図３】
2010081149.tif 000005
【図４】
2010081149.tif 000006
【図５】
2010081149.tif 000007
【図６】
2010081149.tif 000008
【図７】
2010081149.tif 000009
【図８】
2010081149.tif 000010
【図９】
2010081149.tif 000011
【図１０】
2010081149.tif 000012
【図１１】
2010081149.tif 000013